(57)【要約】【課題】係止片の先端が着用者の肌に食い込み難くすると共に、係止片の折れ曲がりのおそれを低減することが可能な留め具を提供する。【解決手段】左右の肩ストラップを引き寄せて保持する留め具であって、左右方向Ｘの外側へ向かうにつれて離間または拡張するようにＶ字状に開口され、肩ストラップを挿通する一対のＶ字開口部３２が形成された留め具本体１１を備え、留め具本体は、Ｖ字開口部の外側の縁３３，３４を形成する上下一対の外側フレーム４１，５１と、Ｖ字開口部の内側の縁３７，３８を形成すると共に、肩ストラップ２１を係止可能な係止片６１と、有し、係止片は、左右方向の外側で外側フレーム４１，５１と接続された基端部６２，６３と、当該基端部と反対側の端部であり、上下の外側フレーム４１，５１間で、左右方向の内側に向けられている先端部６４とを備える構成とする。【選択図】図２
2013121474.tif 000002
【特許請求の範囲】
【請求項１】
衣類の左右一対の肩ストラップを互いに引き寄せて保持する留め具であって、
左右方向の外側へ向かうにつれて離間または拡幅するようにＶ字状に開口され、前記肩ストラップを挿通する左右一対のＶ字開口部が形成された留め具本体を備え、
前記留め具本体は、前記Ｖ字開口部の外側の縁を形成する上下一対の外側フレームと、
前記Ｖ字開口部の内側の縁を形成すると共に、前記肩ストラップを係止可能な係止片と、有し、
前記係止片は、左右方向の外側で前記外側フレームと接続された基端部と、
前記基端部と反対側の端部であり、前記上下一対の外側フレーム間で、左右方向の内側に向けられている先端部とを備えている、
留め具。
【請求項２】
前記基端部は、上側に配置された前記外側フレームと接続された上側基端部と、
下側に配置された前記外側フレームと接続された下側基端部と、を有し、
前記係止片は、前記上側基端部と前記先端部とを接続する第１の棒状部と、
前記下側基端部と前記先端部とを接続する第２の棒状部と、を備えＶ字状に形成されている、
請求項１に記載の留め具。
【請求項３】
前記Ｖ字開口部の幅は、左右方向の外側の部分より、左右方向の内側の部分の方が細くなっている、
請求項１または２に記載の留め具。
【請求項４】
前記Ｖ字開口部の前記外側または前記内側の縁の少なくとも一方の一部には、対向する縁側へ膨出する膨出部が形成されている、
請求項１から３のいずれか１項に記載の留め具。
【請求項５】
前記膨出部は、左右方向の内側から外側へ、当該膨出部の頂部に向かうにつれて、前記Ｖ字開口部の幅が徐々に狭まるように形成されている、
請求項４に記載の留め具。
【請求項６】
前記膨出部は、前記Ｖ字開口部の左右方向の外側から内側へ、当該膨出部の頂部に向かうにつれて、前記Ｖ字開口部の幅が徐々に狭まるように形成されている、
請求項４または５項に記載の留め具。
【請求項７】
前記係止片には、前記肩ストラップの移動を拘束可能なフック部が形成されている、
請求項１から６のいずれか１項に記載の留め具。
【請求項８】
前記Ｖ字開口部の左右方向の外側の端部が、上下方向において内側へ向くように開口されることで、前記フック部が形成されている、
請求項７に記載の留め具。
【請求項９】
左右方向の外側で上下方向に延在し、上下一対の外側フレームの端部同士を連結する外側フレーム連結部を備える、
請求項１から８のいずれか１項に記載の留め具。
【発明の詳細な説明】
【技術分野】
【０００１】
本発明は、衣服の肩ストラップを互いに引き寄せて保持する留め具に関する。
【背景技術】
【０００２】
従来、例えばブラジャー等のカップ付き衣類では、カップ部に連結され着用者の肩に掛け渡される肩ストラップが設けられている。下記特許文献１には、肩ストラップを互いに引き寄せて保持する留め具が開示されている。図１５は、従来の留め具１を示す平面図である。従来の留め具１は、左右方向Ｘに延在する連結棒２と、この連結棒２の両端部に設けられた一対の第１基部３及び第２基部４と、第１基部３から第２基部４に向かって突出する上下一対の第１係止片５と、第２基部４から第１基部３に向かって突出する上下一対の第２係止片６と、を備えている。この構成の留め具１では、連結棒２と第１係止片５との間の隙間７、及び連結棒２と第２係止片６との間の隙間８に肩ストラップが挿通されると共に、第１係止片５及び第２係止片６に肩ストラップがそれぞれ係止されて使用される。
【先行技術文献】
【特許文献】
【０００３】
【特許文献１】登録実用新案第３１５３４２９号公報
【発明の概要】
【発明が解決しようとする課題】
【０００４】
一般的に、留め具は、着用者の肌に直接触れた状態で使用される。特許文献１に記載された従来の留め具１は、係止片５，６の先端が外側に露出しているため、肌に食い込むおそれがあった。また、係止片５，６が外側に露出していると、他の物体に引っかかり、係止片５，６が折れ曲がり劣化しやすくなる。係止片５，６の折れ曲がりの程度が大きくなると、留め具として、肩ストラップを係止する機能が発揮できない。
【０００５】
本発明は、このような課題を解決するために成されたものであり、係止片の先端部を着用者の肌に食い込み難くすると共に、係止片の折れ曲がりのおそれを低減することが可能な留め具を提供することを目的とする。
【課題を解決するための手段】
【０００６】
本発明は、衣類の左右一対の肩ストラップを互いに引き寄せて保持する留め具であって、左右方向の外側へ向かうにつれて離間または拡幅するようにＶ字状に開口され、肩ストラップを挿通する左右一対のＶ字開口部が形成された留め具本体を備え、留め具本体は、Ｖ字開口部の外側の縁を形成する上下一対の外側フレームと、Ｖ字開口部の内側の縁を形成すると共に、肩ストラップを係止可能な係止片と、有し、係止片は、左右方向の外側で上下一対の外側フレームと接続された基端部と、当該基端部と反対側の端部であり、上下一対の外側フレーム間で、左右方向の内側に向けられている先端部とを備えている、留め具を提供する。
【０００７】
この構成の留め具では、肩ストラップを係止可能な係止片の先端が、左右方向の内側（中央側）に向かって内向きに形成されていると共に、上下方向において外側フレーム間に配置されているため、係止片の先端が肌に直接当たる可能性を低減することができる。
【０００８】
ここで、基端部は、上側に配置された外側フレームと接続された上側基端部と、下側に配置された外側フレームと接続された下側基端部と、を有し、係止片は、上側基端部と先端部とを接続する第１の棒状部と、下側基端部と先端部とを接続する第２の棒状部と、を備えＶ字状に形成されている構成でもよい。
【０００９】
この構成では、Ｖ字状の係止片が２点の基端部によって外側フレームに支持されているため、１点支持の場合と比較して係止片の変形を抑制することができ、留め具の劣化を抑えることができる。
【００１０】
また、Ｖ字開口部の幅は、左右方向の外側の部分より、左右方向の内側の部分の方が細くなっている構成でもよい。この構成では、Ｖ字開口部の幅が、左右方向の内側で細くなっているため、肩ストラップの位置ずれを減少させることができる。
【００１１】
留め具は、Ｖ字開口部の外側または内側の縁の少なくとも一方の一部に、対向する縁側へ膨出する膨出部が形成されている構成でもよい。この構成の留め具では、肩ストラップが膨出部と、この膨出部に対向する縁との間に挟み込むように保持することができるので、着用状態における肩ストラップの変位を膨出部によって規制することが可能となる。
【００１２】
また、膨出部は、左右方向の内側から外側へ、膨出部の頂部に向かうにつれて、Ｖ字開口部の幅が徐々に狭まるように形成されている構成でもよい。この構成では、Ｖ字開口部の入り口周辺（Ｖ字の底部側）で幅が広いため、Ｖ字開口部への肩ストラップの挿入が容易となる。
【００１３】
また、膨出部は、Ｖ字開口部の左右方向の外側から内側へ、膨出部の頂部に向かうにつれて、Ｖ字開口部の幅が徐々に狭まるように形成されている構成でもよい。これにより、肩ストラップをＶ字開口部から左右方向の内側（例えば中央開口部側）へ向かって抜き出す際に、スムーズに肩ストラップを抜き出すことができる。
【００１４】
また、係止片には、肩ストラップの移動を拘束可能なフック部が形成されている構成でもよい。この構成では、係止片にフック部が形成されているため、肩ストラップの移動を減少させることができる。
【００１５】
また、Ｖ字開口部の左右方向の外側の端部が、上下方向において内側へ向くように開口されることで、フック部が形成されている構成でもよい。この構成では、左右方向の外側の端部にフック部が形成されているので、肩ストラップの装着を容易とすると共に、肩ストラップの移動を減少させることができる。
【００１６】
また、左右方向の外側で上下方向に延在し、上下一対の外側フレームの端部同士を連結する外側フレーム連結部を備える構成でもよい。この構成では、上下の外側フレームの端部同士を連結することで、留め具本体の変形を抑制することができ、係止片の基端部を安定的に支持することができる。また、係止片の変形も抑制することができる。また、外側フレームの端部が、外側に突出する形状とならないので、着用者の肌に接触したときの力を和らげることができ、肌に食い込み難くすることができる。
【発明の効果】
【００１７】
本発明の留め具によれば、係止片の先端部が着用者の肌に食い込み難くすると共に、係止片の折れ曲がりのおそれを低減することが可能な留め具を提供することができる。
【図面の簡単な説明】
【００１８】
【図１】本発明の実施形態に係る留め具の着用状態を示す図である。
【図２】本発明の第１実施形態に係る留め具を示す平面図である。
【図３】肩ストラップを挿通した状態の第１実施形態の留め具を示す図である。
【図４】本発明の第２実施形態に係る留め具を示す平面図である。
【図５】肩ストラップを挿通した状態の第２実施形態の留め具を示す図である。
【図６】本発明の第３実施形態に係る留め具を示す平面図である。
【図７】本発明の第４実施形態に係る留め具を示す平面図である。
【図８】本発明の第５実施形態に係る留め具を示す平面図である。
【図９】本発明の第６実施形態に係る留め具を示す平面図である。
【図１０】本発明の第７実施形態に係る留め具を示す平面図である。
【図１１】本発明の第８実施形態に係る留め具を示す平面図である。
【図１２】本発明の第９実施形態に係る留め具を示す平面図である。
【図１３】本発明の第１０実施形態に係る留め具を示す平面図である。
【図１４】本発明の第１１実施形態に係る留め具を示す平面図である。
【図１５】従来の留め具を示す平面図である。
【発明を実施するための形態】
【００１９】
以下、添付図面を参照して、本発明の好適な実施形態について詳細に説明する。なお、「上」、「下」等の方向を示す語は、図面に示される状態に基づいており、便宜的なものである。
【００２０】
まず、本発明の第１実施形態に係る留め具１０について説明する。図１は、本発明の実施形態に係る留め具１０の着用状態を示す図である。この留め具１０は、例えば、ブラジャー等のカップ付き衣類２０に設けられた左右一対の肩ストラップ２１を互いに引き寄せて保持するための留め具として用いられるものである。なお、カップ付き衣類としては、ブラジャーの他にブラスリップ、ブラキャミソール、ボディスーツ等のファンデーション衣類の他、水着やレオタード等の種々のカップ付き衣類が挙げられる。
【００２１】
図２は、本発明の第１実施形態に係る留め具１０を示す平面図である。留め具１０は、例えば、厚さ１ｍｍの板状の金属又は樹脂から形成されている。留め具１０は、左右対称の形状を有するため、本実施形態では、基本的に左右方向の片側のみについて説明する。なお、本発明の留め具１０は、左右対称に形成されていないものでもよい。
【００２２】
留め具１０は、中央（左右方向Ｘの内側）に設けられた中央開口部３１と、中央開口部３１から左右方向Ｘの外側へ向かうにつれて端部側が上下方向Ｙに離間するように開口されたＶ字開口部３２と、が形成された留め具本体１１を備えている。
【００２３】
留め具本体１１は、上下方向Ｙの外側に配置された上下一対の外側フレーム４１，５１と、上下方向Ｙにおいて、外側フレーム４１，５１間に配置され肩ストラップ２１を係止する左右一対の係止片６１と、上下一対の外側フレーム４１，５１の左右方向Ｘの端部を連結する左右一対の連結フレーム７１（外側フレーム連結部）と、を備える。
【００２４】
外側フレーム４１，５１は、Ｖ字開口部３２の上下方向Ｙの外側の縁３３，３４を形成している。外側フレーム４１，５１は、左右方向Ｘの中央において、中央開口部３１の上下方向Ｙの外側の縁３５，３６を形成している。
【００２５】
上側の外側フレーム４１は、左右一対のＶ字開口部３２の上側の縁３３及び中央開口部３１の上側の縁３５を形成している。外側フレーム４１は、中央開口部３１側から斜め上方へ延在している。外側フレーム４１の左右方向Ｘの外側の端部４２は、中央開口部３１よりも上方に配置されている。
【００２６】
下側の外側フレーム５１は、左右一対のＶ字開口部３２の下側の縁３４及び中央開口部３１の下側の縁３６を形成している。外側フレーム５１は、中央開口部３１側から斜め下方へ延在している。外側フレーム５１の左右方向Ｘの外側の端部５２は、中央開口部３１よりも下方に配置されている。
【００２７】
係止片６１は、Ｖ字開口部３２の内側の縁３７，３８を形成すると共に、肩ストラップ２１を係止するものである。係止片６１は、左右方向Ｘの外側で上下一対の外側フレーム４１，５１と接続された基端部６２，６３と、基端部６２，６３と反対側の端部であり、上下一対の外側フレーム４１，５１間で、中央開口部３１に向けられている先端部６４と、を備えている。
【００２８】
係止片６１の上側の基端部６２（以下、上側基端部６２という。）は、上側に配置された外側フレーム４１と接続されている。係止片６１の下側の基端部６３（以下、下側基端部６３という。）は、下側に配置された外側フレーム５１と接続されている。
【００２９】
係止片６１は、上側基端部６２と先端部６４とを接続する第１棒状部６５と、下側基端部６３と先端部６４とを接続する第２棒状部６６とを備え、Ｖ字状に形成されている。係止片６１の上側基端部６２は、外側フレーム４１の端部４２に連結され、係止片６１の下側基端部６３は、外側フレーム５１の端部５２に連結されている。
【００３０】
連結フレーム７１は、左右方向Ｘの外側で上下方向Ｙに延在し、外側フレーム４１，５１の端部４２，５２を連結している。連結フレーム７１は、上下方向Ｙの中央部において、中央開口部３１側へくぼむように湾曲している。例えば、留め具１０では、Ｖ字状の係止片６１及び連結フレーム７１により囲まれた開口部がハート型を成すように形成されている。係止片６１及び連結フレーム７１により囲まれた開口部は、その他の形状でもよく、複数の開口部が形成されているものでもよい。
【００３１】
また、留め具１０のＶ字開口部３２の中央開口部３１側の幅Ｗ１は、左右方向Ｘの外側の幅Ｗ２よりも細く形成されいる。留め具１０では、中央開口部３１側の幅Ｗ１が細くなっているため、Ｖ字開口部３２に挿通され係止片６１に係止された肩ストラップ２１が外れ難くなっている。
【００３２】
次に、留め具１０の作用について説明する。図３は、肩ストラップ２１をＶ字開口部３２に挿通した状態の第１実施例の留め具１０を示す図である。図３（ａ）は、着用状態において、着用者の後方から見た状態を示すものであり、図３（ｂ）は、着用者の肌側から見た状態を示すものである。図３では、片側の肩ストラップ２１しか図示されていないが、装着状態において、左右両側の係止片６１に肩ストラップ２１が装着される。
【００３３】
留め具１０を肩ストラップ２１に装着する場合には、まず、肩ストラップ２１を湾曲させ、この湾曲した部分を中央開口部３１側から挿入し、係止片６１の先端部６４に係止する。次に、肩ストラップ２１を左右方向Ｘの外側へ移動させて、Ｖ字開口部３２に肩ストラップ２１を進入させて、図３に示すような装着状態にする。
【００３４】
例えば図３（ａ）に示した面を留め具１０の正面、図３（ｂ）に示した面を留め具１０の背面とする。このとき、装着状態において、肩ストラップ２１は、外側フレーム４１の背面側を通り、外側フレーム４１と第１棒状部６５と間の隙間（Ｖ字開口部３２）を通過して、係止片６１の正面側を通り、第２棒状部６６と外側フレーム５１との間の隙間（Ｖ字開口部３２）を通過して、外側フレーム５１の背面側を通るように配置されている。
【００３５】
このように構成された本実施形態に係る留め具１０では、肩ストラップ２１を係止する係止片６１の先端部６４が、中央開口部３１に向かって内向きに形成されていると共に、上下方向Ｙにおいて外側フレーム４１，５１間に配置されているため、係止片６１の先端部６４が肌に直接当たる可能性が低減されている。その結果、係止片６１の先端部６４が着用者の肌に食い込み難くすることができると共に、係止片６１の折れ曲がりのおそれを低減することができる。
【００３６】
留め具１０は、Ｖ字状の係止片６１が２点の基端部６２，６３によって外側フレーム４１，５１に支持されているため、従来の１点支持の場合と比較して係止片６１の変形を抑制することができ、留め具１０の劣化を抑えることができる。
【００３７】
留め具１０は、Ｖ字開口部３１の幅が、中央開口部３１側で細くなっている（Ｗ１＜Ｗ２）ため、肩ストラップ２１がＶ字開口部３１の両側の縁３３，３４，３７，３８に挟まれ、肩ストラップ２１の位置ずれが抑制される。
【００３８】
留め具１０は、連結フレーム７１を備える構成であるため、上下の外側フレーム４１，５１の端部同士を連結することで、留め具本体の変形を抑制することができ、係止片６１の基端部６２，６３を安定的に支持することができる。また、係止片６１の変形も抑制することができる。また、外側フレーム４１，５１の端部４２，５２が、外側に突出する形状とならないので、着用者の肌に接触したときの力を和らげることができ、着用者の肌に食い込み難くすることができる。
【００３９】
次に、本発明の第２実施形態に係る留め具１０Ｂについて説明する。図４は、本発明の第２実施形態に係る留め具１０Ｂを示す平面図である。第２実施形態の留め具１０Ｂが、第１実施形態の留め具１０と違う点は、Ｖ字開口部１３２、係止片１６１、装飾フレーム１５３を備えている点である。なお、第２実施形態の留め具１０Ｂの説明において、上記第１実施形態の留め具１０と同様の説明は省略する。
【００４０】
留め具１０ＢのＶ字開口部１３２は、左右方向Ｘの外側の方が内側よりも徐々に幅が広くなるように（拡張されて）形成されている。係止片１６１は、基端部１６２を介して連結フレーム７１に接続されている。装飾フレーム１５３は、外側フレーム５１から下側に張り出すように形成されている。
【００４１】
図５は、肩ストラップ２１をＶ字開口部３２に挿通した状態の第２実施形態の留め具１０Ｂを示す図である。図５（ａ）は、着用状態において、着用者の後方から見た状態を示すものであり、図５（ｂ）は、着用者の肌側から見た状態を示すものである。図５では、片側の肩ストラップ２１しか図示されていないが、着用状態において、左右両側の係止片６１に肩ストラップ２１が装着される。
【００４２】
このような第２実施形態に係る留め具１０Ｂにおいても、外側フレーム４１、５１の端部４２、５２が外側に突出しないので、良好な肌当たりを得ることができる。
【００４３】
次に、本発明の第３実施形態に係る留め具１０Ｃについて説明する。図６は、本発明の第３実施形態に係る留め具１０Ｃを示す平面図である。第３実施形態の留め具１０Ｃが、第１実施形態の留め具１０と違う点は、外側フレーム５１から張り出すように形成された装飾フレーム５３を備える点である。なお、第３実施形態の留め具１０Ｃの説明において、上記第１，２実施形態の留め具１０，１０Ｂと同様の説明は省略する。
【００４４】
装飾フレーム５３は、外側フレーム５１から下方に張り出すように形成され、留め具１０Ｃの外形の一部を成している。具体的には、装飾フレーム５３は、上下一対の外側フレーム４１，５１、及び左右一対の連結フレーム７１と共に、蝶を模した形状を形成している。
【００４５】
このような第３実施形態に係る留め具１０Ｃは、装飾フレーム５３を備える構成であるため、デザインの自由度が向上されている。例えば、蝶のような形状の留め具１０Ｃを実現することができる。また、装飾フレーム５３が、外側フレーム５１から張り出すように形成されているため、把手として利用することができ、留め具１０Ｃの取り付け、取り外し動作を容易とすることができる。
【００４６】
なお、装飾フレーム５３の形状は、その他の形状でもよい。装飾フレーム５３は、外側フレーム４１や連結フレーム７１から張り出すように形成されているものでもよい。また、その他の形状の装飾部や把手が取り付けられた留め具でもよい。
【００４７】
次に、本発明の第４実施形態に係る留め具１０Ｄについて説明する。図７は、本発明の第４実施形態に係る留め具１０Ｄを示す平面図である。第４実施形態の留め具１０Ｄが、第３実施形態に係る留め具１０Ｃと違う点は、左右一対の係止片６１の先端部６４間の距離Ｘ１が大きくなっている点である。なお、第４実施形態の留め具１０Ｄの説明において、上記実施形態の留め具１０，１０Ｂ，１０Ｃと同様の説明は省略する。
【００４８】
留め具１０Ｄでは、係止片６１の先端部６４が、中央開口部３１より左右方向Ｘ外側に離間して配置されている。図７では、中央開口部３１の大きさを破線で示している。例えば、係止片１６の先端部６４間の距離Ｘ１は、中央開口部３１のＸ方向の幅Ｘ２の３倍程度の大きさである。上下一対の外側フレーム４１，５１の中央部には、中央開口部３１を形成する湾曲部４３，５５が形成されている。この湾曲部４３，５５の両端部４４，５４の左右方向Ｘの距離が、中央開口部３１のＸ方向の幅Ｘ２の大きさに相当する。
【００４９】
このような第４実施形態に係る留め具１０Ｄは、先端部６４の中央開口部３１側の空間が広く形成され、肩ストラップ２１のＶ字開口部３２への挿入が容易となる。また、装着状態の留め具１０Ｄから肩ストラップ２１を外し易くなる。
【００５０】
次に、本発明の第５実施形態に係る留め具１０Ｅについて説明する。図８は、本発明の第５実施形態に係る留め具１０Ｅを示す平面図である。第５実施形態の留め具１０Ｅが、第４実施形態に係る留め具１０Ｄと違う点は、Ｖ字開口部３２の内側の縁３７に膨出部９１が形成されている点である。なお、上記の実施形態と同様の説明は省略する。
【００５１】
膨出部９１は、対向する外側の縁３３に向かって張り出すように形成されている。膨出部９１は、緩やかな湾曲形状を成している。膨出部９１は、中央開口部３１側から左右方向Ｘの外側へ、膨出部９１の頂部９２に向かうにつれて、Ｖ字開口部３２の幅が徐々に狭まるように形成されている。頂部９２は、膨出部９１において、最も張り出している位置（最も外側の縁に近い位置）である。Ｖ字開口部３１の幅とは、対向する外側の縁３３と内側の縁３７との間隔である。
【００５２】
また、膨出部９１は、左右方向Ｘの外側から内側（中央開口部３１側）へ、膨出部９１の頂部９２に向かうにつれて、Ｖ字開口部３２の幅が徐々に狭まるように形成されている。
【００５３】
また、膨出部９１の頂部９２は、留め具１０Ｅの装着状態において、肩ストラップ２１の幅方向の中央よりも内側（着用者の後中心側）を係止可能な位置に形成されていることが好ましい。
【００５４】
このような第５実施形態の留め具１０Ｅでは、着用状態の肩ストラップ２１が内側の係止片６１と外側フレーム４１とに挟まれるので、肩ストラップ２１の動きを規制することができ、肩ストラップ２１のずれを抑制することができる。
【００５５】
留め具１０Ｅは、中央開口部３１側から膨出部９１の頂部９２に向かってＶ字開口部３２の幅が徐々に狭まる構成であり、Ｖ字開口部３２の入り口周辺（Ｖ字の底部側）で幅が広いため、Ｖ字開口部３２への肩ストラップ２１の挿入が容易である。
【００５６】
留め具１０Ｅは、左右方向Ｘの外側から膨出部９１の頂部９２に向かってＶ字開口部３２の幅が徐々に狭まる構成であるため、肩ストラップ２１をＶ字開口部３２から中央開口部３１へ向かって抜き出す際に、スムーズに肩ストラップ２１を抜き出すことができる。
【００５７】
なお、膨出部９１は、Ｖ字開口部３２の内側の縁３８（下部側の縁）に設けられているものでもよく、上下両方の縁３７，３８に設けられているものでもよい（図１３参照）。また、一方の縁に複数の膨出部９１が設けられている構成でもよい。
【００５８】
次に、本発明の第６実施形態に係る留め具１０Ｆについて説明する。図９は、本発明の第６実施形態に係る留め具１０Ｆを示す平面図である。第６実施形態の留め具１０Ｆが、第４実施形態に係る留め具１０Ｄと違う点は、Ｖ字開口部３２の内側の縁３７に膨出部９３が形成されている点である。なお、上記の実施形態と同様の説明は省略する。
【００５９】
膨出部９３は、対向する内側の縁３７に向かって張り出すように形成されている。膨出部９３は、緩やかな湾曲形状を成している。膨出部９３は、中央開口部３１側から左右方向Ｘの外側へ、膨出部９３の頂部９４に向かうにつれて、Ｖ字開口部３２の幅が徐々に狭まるように形成されている。頂部９４は、膨出部９３において、最も張り出している位置（最も外側の縁に近い位置）である。Ｖ字開口部３１の幅とは、対向する外側の縁と内側の縁との間隔である。
【００６０】
また、膨出部９３は、左右方向Ｘの外側から内側（中央開口部３１側）へ、膨出部９３の頂部９４に向かうにつれて、Ｖ字開口部３２の幅が徐々に狭まるように形成されている。
【００６１】
また、膨出部９３の頂部９４は、留め具１０Ｆの装着状態において、肩ストラップ２１の幅方向の中央よりも内側（着用者の後中心側）を係止可能であることが好適である。
【００６２】
このような第６実施形態の留め具１０Ｆでは、着用状態の肩ストラップ２１が内側の係止片６１と外側フレーム４１とに挟まれるので、肩ストラップ２１の動きを規制することができ、肩ストラップ２１のずれを抑制することができる。
【００６３】
留め具１０Ｅは、中央開口部３１側から膨出部９３の頂部９４に向かってＶ字開口部３２の幅が徐々に狭まる構成であり、Ｖ字開口部３２の入り口周辺（Ｖ字の底部側）で幅が広いため、Ｖ字開口部３２への肩ストラップ２１の挿入が容易である。
【００６４】
留め具１０Ｅは、左右方向Ｘの外側から膨出部９３の頂部９４に向かってＶ字開口部３２の幅が徐々に狭まる構成であるため、肩ストラップ２１をＶ字開口部３２から中央開口部３１へ向かって抜き出す際に、スムーズに肩ストラップ２１を抜き出すことができる。
【００６５】
膨出部９３は、Ｖ字開口部３２の外側の縁３４（下部側の縁）に設けられているものでもよく、上下両方の縁３３，３４に設けられているものでもよい（図１４参照）。
【００６６】
次に、本発明の第７実施形態に係る留め具１０Ｇについて説明する。図１０は、本発明の第７実施形態に係る留め具１０Ｇを示す平面図である。第７実施形態の留め具１０Ｇが第４実施形態に係る留め具１０Ｄと違う点は、中央開口部３１が形成されていない点である。このように、本発明の留め具の変形例として、左右一対のＶ字開口部３２が連通していない構成のものでもよい。
【００６７】
次に、本発明の第８実施形態に係る留め具１０Ｈについて説明する。図１１は、本発明の第８実施形態に係る留め具１０Ｈを示す平面図である。第８実施形態の留め具１０Ｈが第１実施形態に係る留め具１０と違う点は、係止片６１の中央に開口部が形成されていない点である。このように、本発明の留め具の変形例として、係止片６１の中央に開口部が形成されていないものでもよい。
【００６８】
次に、本発明の第９実施形態に係る留め具１０Ｉについて説明する。図１２は、本発明の第９実施形態に係る留め具１０Ｉを示す平面図である。第９実施形態の留め具１０Ｉが第１実施形態に係る留め具１０と違う点は、連結フレーム７１を備えていない点である。このように、本発明の留め具の変形例として、連結フレーム７１を備えていないものでもよい。
【００６９】
次に、本発明の第１０実施形態に係る留め具１０Ｊについて説明する。図１３は、本発明の第１０実施形態に係る留め具１０Ｊを示す平面図である。第１０実施形態の留め具１０Ｊが第５実施形態に係る留め具１０Ｅと違う点は、膨出部９１Ｂ（９１）の形状が異なる点、及び膨出部９１Ｂが上下両方の縁３７，３８に形成されている点である。なお、上記の実施形態と同様の説明は省略する。
【００７０】
係止片６１の第１棒状部６５の上側の縁３７には、上部側の膨出部９１Ｂが設けられている。縁３７の膨出部９１Ｂは、対向する外側の縁３３に向かって張り出している。膨出部９１Ｂは、例えば、第１棒状部６５の長手方向の中央より先端部６４側に配置されている。膨出部９１Ｂの両側には、縁３３側へ張り出していない部分が形成されている。第１棒状部６５の長手方向の例えば１／３程度の部分が、膨出部９１Ｂとして縁３３側へ張り出している。
【００７１】
係止片６１の第２棒状部６６の下側の縁３８には、下部側の膨出部９１Ｂが設けられている。縁３８の膨出部９１Ｂは、対向する外側の縁３４に向かって張り出している。膨出部９１Ｂは、例えば、第２棒状部６６の長手方向の中央より先端部６４側に配置されている。膨出部９１Ｂの両側には、縁３４側へ張り出していない部分が形成されている。第２棒状部６６の長手方向の例えば１／３程度の部分が、膨出部９１Ｂとして縁３４側へ張り出している。
【００７２】
このような第１０実施形態の留め具１０Ｊでは、着用状態の肩ストラップ２１が内側の係止片６１と外側フレーム４１とに挟まれ、膨出部９１Ｂによって肩ストラップ２１の動きが規制される。その結果、肩ストラップ２１のずれを抑制することができる。なお、膨出９１Ｂの位置及び形状は適宜変更してもよい。
【００７３】
次に、本発明の第１１実施形態に係る留め具１０Ｋについて説明する。図１４は、本発明の第１１実施形態に係る留め具１０Ｋを示す平面図である。第１１実施形態の留め具１０Ｋが第６実施形態に係る留め具１０Ｆと違う点は、膨出部９３Ｂ（９３）の形状が異なる点、及び膨出部９３Ｂが上下両方の縁３３，３４に形成されている点である。なお、上記の実施形態と同様の説明は省略する。
【００７４】
上部側の外側フレーム４１の縁３３には、上部側の膨出部９３Ｂが設けられている。縁３３の膨出部９３Ｂは、対向する係止片６１の縁３７に向かって張り出している。膨出部９３Ｂの両側には、縁３７側へ張り出していない部分が形成されている。
【００７５】
下部側の外側フレーム５１の縁３４には、下部側の膨出部９３Ｂが設けられている。縁３４の膨出部９３Ｂは、対向する係止片６１の縁３８に向かって張り出している。膨出部９３Ｂの両側には、縁３８側へ張り出していない部分が形成されている。
【００７６】
このような第１１実施形態の留め具１０Ｋでは、着用状態の肩ストラップ２１が内側の係止片６１と外側フレーム４１とに挟まれるように保持され、膨出部９３Ｂによって肩ストラップ２１の動きが規制される。その結果、肩ストラップ２１のずれを抑制することができる。なお、膨出９３Ｂの位置及び形状は適宜変更してもよい。
【００７７】
上記第１０実施形態の膨出部９１Ｂを係止片６１側の膨出部９３Ｂと向かい合う位置にさらに設け、膨出部９１Ｂ、９３Ｂによって上下から肩ストラップ２１を挟み込むようにしても良い。但し、この場合には、膨出部９１Ｂ、９３Ｂの位置を左右方向にずらして設けたり、向かい合う膨出部９１Ｂ、９３Ｂの大きさを小さくして肩ストラップ２１が膨出部９１Ｂ、９３Ｂの間に挿入し易くするように形成することが好ましい。
【００７８】
以上、本発明をその実施形態に基づき具体的に説明したが、本発明は、上記実施形態に限定されるものではない。
【００７９】
例えば、上記の留め具１０，１０Ｂ，１０Ｃ，１０Ｇ，１０Ｈ，１０Ｉにおいて、膨出部９１，９１Ｂ又は膨出部９３，９３Ｂを備える構成としてもよい。
【００８０】
また、上記実施形態の留め具１０は、左右方向の外側で上下方向に延在し、上下一対の外側フレーム４１，５１の端部４２，５２同士を連結する連結フレームを備える構成としているが、左右方向に延在し、外側フレーム４１の端部４２同士、及び／又は外側フレーム５１の端部５２同士を連結するフレームを更に備える構成でもよい。
【符号の説明】
【００８１】
１０，１０Ｂ，１０Ｃ，１０Ｄ，１０Ｅ，１０Ｆ，１０Ｇ，１０Ｈ，１０Ｊ，１０Ｋ…留め具
１１…留め具本体
２０…カップ付き衣類、
２１…肩ストラップ
３１…中央開口部（中央部）
３２…Ｖ字開口部
３３，３４…Ｖ字開口部の外側の縁
３７，３８…Ｖ字開口部の内側の縁
４１，５１…外側フレーム
４２，５２…外側フレームの端部
６１…係止片
６２，６３…基端部
６４…先端部
６５…第１棒状部
６６…第２棒状部
６７，６８…フック部
７１…連結フレーム
８１，８２…Ｖ字開口部の外側の端部
９１，９１Ｂ，９３，９３Ｂ…膨出部
９２，９４…膨出部の頂部
【図１】
2013121474.tif 000003
【図２】
2013121474.tif 000004
【図３】
2013121474.tif 000005
【図４】
2013121474.tif 000006
【図５】
2013121474.tif 000007
【図６】
2013121474.tif 000008
【図７】
2013121474.tif 000009
【図８】
2013121474.tif 000010
【図９】
2013121474.tif 000011
【図１０】
2013121474.tif 000012
【図１１】
2013121474.tif 000013
【図１２】
2013121474.tif 000014
【図１３】
2013121474.tif 000015
【図１４】
2013121474.tif 000016
【図１５】
2013121474.tif 000017